(57)【特許請求の範囲】
【請求項１】
受信装置と無線方式で接続されるワイヤレスマイクロホンであって、
マイクロホンカプセルと、
コード付きマイクロホンのコードコネクタが装着される装着部と、
前記コードコネクタが前記装着部に装着されている場合には前記コード付きマイクロホンに入力された音声信号を選択し、前記コードコネクタが前記装着部に装着されてない場合には前記マイクロホンカプセルに入力された音声信号を選択する切換手段と、
前記切換手段で選択した音声信号を電波として前記受信装置に送信する送信手段と、
前記送信された音声信号を受信した前記受信装置から赤外線光信号として送信された、予め設けられた複数の無線チャンネルのうち１の無線チャンネルを示すチャンネル設定信号を受光する受信手段と
を有し、
前記送信手段は、前記受信手段が受光した前記チャンネル設定信号が示す無線チャンネルで前記切換手段で選択された前記音声信号を電波として前記受信装置に送信する、
ワイヤレスマイクロホン。
【請求項２】
操作スイッチをさらに有し、
前記受信手段は、前記操作スイッチがオフ状態からオン状態に設定された場合に、前記送受信装置からの前記チャンネル設定信号を受光し、
前記送信手段は、前記受信手段が受信した前記チャンネル設定信号が示す無線チャンネルで前記切換手段で選択された前記音声信号を電波として前記受信装置に送信する、
請求項１記載のワイヤレスマイクロホン。
【請求項３】
前記装着部は、前記ワイヤレスマイクロホンの筐体の胴体部に配置され、
前記マイクロホンカプセルは、前記筐体の先端部に配置されている、
請求項１または２に記載のワイヤレスマイクロホン。
【請求項４】
前記コード付きマイクロホンは、タイピン型のマイクロホンであり、
前記コードコネクタは、プラグであり、
前記装着部は、前記プラグが差し込まれるジャックである
請求項１〜３の何れかに記載のワイヤレスマイクロホン。
【請求項５】
前記複数の無線チャンネルの各々には、異なる周波数が割り当てられ、
前記送信手段は、前記チャンネル設定信号が示す無線チャンネルに割り当てられた周波数の電磁波であって、前記音声信号が重畳された電磁波を、前記受信装置に送信する
請求項１〜４の何れかに記載のワイヤレスマイクロホン。
【請求項６】
受信装置と無線方式で接続される送信装置であって、
コード付きマイクロホンのコードコネクタが装着される装着部と、
前記受信装置の発光手段から赤外線光信号として送信された、予め設けられた複数の無線チャンネルのうち何れかの無線チャンネルを示すチャンネル設定信号を受信する受光手段と、
前記受光手段が受信した前記チャンネル設定信号が示す無線チャンネルで、音声信号を電磁波として前記受信装置に送信する送信手段であって、前記装着部に前記コードコネクタが装着されている場合には前記コード付きマイクロホンに入力された音声信号を電波として送信する送信手段と
を有する、
送信装置。
【請求項７】
操作スイッチをさらに有し、
前記受光手段は、前記操作スイッチがオフ状態からオン状態に設定された場合に、前記受信装置から赤外線光信号として送信された、前記チャンネル設定信号を受光する
請求項６記載の送信装置。
【請求項８】
マイクロホンカプセルをさらに有し、
前記送信手段は、前記装着部に前記コードコネクタが装着されてない場合に、前記マイクロホンカプセルに入力された音声信号を電磁波として前記送受信装置に送信する、
請求項６または７記載の送信装置。
【請求項９】
前記装着部は、前記送信装置の筐体の胴体部に配置され、
前記マイクロホンカプセルは、前記筐体の先端部に配置されている、
請求項８記載の送信装置。
【請求項１０】
予め設けられた複数の無線チャンネルのうちの何れかを示すチャンネル設定信号を受光手段で受信して当該チャンネル設定信号が示す無線チャンネルで音声信号を送信するワイヤレスマイクロホンとの通信を行う送受信装置であって、
前記チャンネル設定信号を赤外線光信号として前記ワイヤレスマイクロホンの受光手段に送信する発光手段と、
前記ワイヤレスマイクロホンから電波信号として送信された音声信号を前記チャンネル設定信号が示す無線チャンネルで受信する受信手段と
を有する
送受信装置。
【請求項１１】
前記複数の無線チャンネルの各々には、異なる周波数が割り当てられ、
前記送受信装置における受信手段は、前記マイクロホンから送信された、前記チャンネル設定信号が示す無線チャンネルに割り当てられた周波数の電磁波であって、音声信号が重畳された電磁波を受信する、
請求項１０記載の送受信装置。
【請求項１２】
当該送受信装置は、
前記電磁波として送信された音声信号を受信する２つのアンテナと、
前記２つのアンテナで受信した音声信号をダイバーシテ方式で選択して１つの音声信号を取り出す信号選択手段と、
を有する、
請求項１１記載の送受信装置。
【発明の詳細な説明】
【０００１】
【発明の属する技術分野】
本発明は、ワイヤレスマイクロホンと、コード付きマイクロホンが装着される送信装置と、ワイヤレスマイクロホンとの通信を行う送受信装置とに関する。
【０００２】
【従来の技術】
ワイヤレスマイクロホンは、大学を始め各種学校の教室の講義等で、広く使用されている。
ワイヤレスマイクロホンを用いる通信システムの一例として、教室毎に受信装置を設けると共に、教室毎にワイヤレスマイクロホンを割り当てたシステムがある。すなわち、この通信システムでは、受信装置とワイヤレスマイクロホンとを１対１に対応付けて使用する。
【０００３】
また、タイピン型のマイクロホンのコードコネクタを送信装置の装着部に装着し、送信装置とタイピン型のマイクロホンとを併せてワイヤレスマイクロホンとして使用するものがある。
この場合の通信システムでは、教室毎に受信装置を設けると共に、教室毎に送信装置を割り当て、受信装置と送信装置とを１対１に対応付けて使用する。
【０００４】
【発明が解決しようとする課題】
上記した通信システムでは、教室毎に使用可能なワイヤレスマイクロホンまたは送信装置が決まっている。このため、講師は、講義する教室毎にワイヤレスマイクロホンまたは送信装置を取り替える必要があり、使い勝手が良くない。
本発明の第１の目的は、ワイヤレスマイクロホンの使い勝手を向上させることにあり、このワイヤレスマイクロホンとの無線通信が可能な送受信装置を提供することを本発明の第２の目的とする。
本発明の第３の目的は、コード付きマイクロホンのコードコネクタが装着される送信装置であって、この送信装置とコード付きマイクロホンとを併せたワイヤレスマイクロホンの使い勝手を向上させることにある。
【０００５】
【課題を解決するための手段】
本発明によれば、受信装置と無線方式で接続されるワイヤレスマイクロホンであって、
マイクロホンカプセルと、
コード付きマイクロホンのコードコネクタが装着される装着部と、
前記コードコネクタが前記装着部に装着されている場合には前記コード付きマイクロホンに入力された音声信号を選択し、前記コードコネクタが前記装着部に装着されてない場合には前記マイクロホンカプセルに入力された音声信号を選択する切換手段と、
前記切換手段で選択した音声信号を電波として前記受信装置に送信する送信手段と、
前記送信された音声信号を受信した前記受信装置から赤外線光信号として送信された、予め設けられた複数の無線チャンネルのうち１の無線チャンネルを示すチャンネル設定信号を受光する受信手段と
を有し、
前記送信手段は、前記受信手段が受光した前記チャンネル設定信号が示す無線チャンネルで前記切換手段で選択された前記音声信号を電波として前記受信装置に送信する、
ワイヤレスマイクロホンが提供される。
【０００６】
好ましくは、操作スイッチをさらに有し、前記受信手段は、前記操作スイッチがオフ状態からオン状態に設定された場合に、前記送受信装置からの前記チャンネル設定信号を受光し、前記送信手段は、前記受信手段が受信した前記チャンネル設定信号が示す無線チャンネルで前記切換手段で選択された前記音声信号を電波として前記受信装置に送信する。
【０００７】
また好ましくは、前記装着部は、前記ワイヤレスマイクロホンの筐体の胴体部に配置され、前記マイクロホンカプセルは、前記筐体の先端部に配置されている。
さらに好ましくは、前記コード付きマイクロホンは、タイピン型のマイクロホンであり、前記コードコネクタは、プラグであり、前記装着部は、前記プラグが差し込まれるジャックである。
【０００８】
好ましくは、前記複数の無線チャンネルの各々には、異なる周波数が割り当てられ、前記送信手段は、前記チャンネル設定信号が示す無線チャンネルに割り当てられた周波数の電磁波であって、前記音声信号が重畳された電磁波を、前記受信装置に送信する。
【０００９】
また本発明によれば、受信装置と無線方式で接続される送信装置であって、
コード付きマイクロホンのコードコネクタが装着される装着部と、前記受信装置の発光手段から赤外線光信号として送信された、予め設けられた複数の無線チャンネルのうち何れかの無線チャンネルを示すチャンネル設定信号を受信する受光手段と、前記受光手段が受信した前記チャンネル設定信号が示す無線チャンネルで、音声信号を電磁波として前記受信装置に送信する送信手段であって、前記装着部に前記コードコネクタが装着されている場合には前記コード付きマイクロホンに入力された音声信号を電波として送信する送信手段とを有する、送信装置が提供される。
【００１０】
好ましくは、操作スイッチをさらに有し、前記受光手段は、前記操作スイッチがオフ状態からオン状態に設定された場合に、前記受信装置から赤外線光信号として送信された、前記チャンネル設定信号を受光する。
また好ましくは、マイクロホンカプセルをさらに有し、前記送信手段は、前記装着部に前記コードコネクタが装着されてない場合に、前記マイクロホンカプセルに入力された音声信号を電磁波として前記送受信装置に送信する。
【００１１】
好ましくは、前記装着部は、前記送信装置の筐体の胴体部に配置され、前記マイクロホンカプセルは、前記筐体の先端部に配置されている。
【００１２】
また本発明によれば、予め設けられた複数の無線チャンネルのうちの何れかを示すチャンネル設定信号を受光手段で受信して当該チャンネル設定信号が示す無線チャンネルで音声信号を送信するワイヤレスマイクロホンとの通信を行う送受信装置であって、
前記チャンネル設定信号を赤外線光信号として前記ワイヤレスマイクロホンの受光手段に送信する発光手段と、
前記ワイヤレスマイクロホンから電波信号として送信された音声信号を前記チャンネル設定信号が示す無線チャンネルで受信する受信手段と
を有する送受信装置が提供される。
【００１３】
好ましくは、前記複数の無線チャンネルの各々には、異なる周波数が割り当てられ、前記送受信装置における受信手段は、前記マイクロホンから送信された、前記チャンネル設定信号が示す無線チャンネルに割り当てられた周波数の電磁波であって、音声信号が重畳された電磁波を受信する。
【００１４】
また好ましくは、当該送受信装置は、前記電磁波として送信された音声信号を受信する２つのアンテナと、前記２つのアンテナで受信した音声信号をダイバーシテ方式で選択して１つの音声信号を取り出す信号選択手段とを有する。
【００１５】
上記した本発明に係るワイヤレスマイクロホンは、装着部にコードコネクタが装着されている場合にはコード付きマイクロホンに入力された音声信号を送信し、装着部にコードコネクタが装着されてない場合にはマイクロホンカプセルに入力された音声信号を送信するので、コードコネクタの装着の有無によりマイクロホンカプセルとコード付きマイクロホンとを使い分けることができ、使い勝手を向上させることができる。
【００１６】
上記した本発明に係る送信装置の送信手段は、装着部にコードコネクタが装着されている場合にはコード付きマイクロホンに入力された音声信号を送信する。この送信手段は、受光手段が受信したチャンネル設定信号が示す無線チャンネルで音声信号を送受信装置に送信するので、無線チャンネルの設定に応じて複数の送受信装置との通信を行うことができ、送受信装置に応じてワイヤレスマイクロホンまたは送信装置を取り替える手間を不要とすることができ、使い勝手を向上させることができる。
【００１７】
本発明に係る送受信装置は、チャンネル設定信号をワイヤレスマイクロホンの受光手段に送信し、当該ワイヤレスマイクロホンから送信された音声信号をチャンネル設定信号が示す無線チャンネルで受信するので、無線チャンネルの設定に応じて複数のワイヤレスマイクロホンとの通信を行うことができ、送受信装置に応じてワイヤレスマイクロホンまたは送信装置を取り替える手間を不要とすることができ、使い勝手を向上させることができる。
【００１８】
【発明の実施の形態】
以下、本発明の実施の形態を添付図面を参照して説明する。
【００１９】
図１は、本発明に係るワイヤレスマイクロホンの実施の形態を示す概略的なブロック構成図である。
このワイヤレスマイクロホン１０は、マイクロホンカプセル１１と、装着部１２と、切換手段１３と、変調手段１４と、送信手段１５と、送信アンテナ１９と、操作スイッチ２０と、制御手段２１と、駆動手段２２と、発光手段２３と、受光手段２４と、検出手段２５とを有する。
【００２０】
マイクロホンカプセル１１は、音声信号Ｓ１が入力され、この音声信号Ｓ１を電気音響変換して電気信号からなる音声信号Ｓ１１を生成し、この音声信号Ｓ１１を切換手段１３に供給する。このマイクロホンカプセル１１には、例えば、大学の講師が講義時に発音した音声信号Ｓ１が入力される。
【００２１】
装着部１２は、コード付きマイクロホン３０のコード３２に接続されたコードコネクタ３３が装着される。例えば、コードコネクタ３３はプラグとし、装着部１２は当該プラグが差し込まれるジャックとする。
コード付きマイクロホン３０は、例えばタイピン型のマイクロホンとする。このコード付きマイクロホン３０のマイクロホンカプセル３１には音声信号Ｓ３が入力され、当該音声信号Ｓ３を電気音響変換して電気信号からなる音声信号Ｓ３３を生成し、この音声信号Ｓ３３をコード３２およびコードコネクタ３３を介して装着部１２に供給する。装着部１２は、コード付きマイクロホン３０からの音声信号Ｓ３３を切換手段１３に供給する。
【００２２】
切換手段１３は、装着部１２にコードコネクタ３３が装着されてない場合は、音声信号Ｓ１１を切換出力信号Ｓ１３として変調手段１４に供給する。
一方、この切換手段１３は、装着部１２にコードコネクタ３３が装着されている場合は、音声信号Ｓ３３を切換出力信号Ｓ１３として変調手段１４に供給する。
【００２３】
変調手段１４は、切換手段１３の出力信号Ｓ１３を変調して被変調信号Ｓ１４を生成し、この被変調信号Ｓ１４を送信手段１５に供給する。
この変調手段１４は、制御手段２１により指定された所定の高周波数の搬送波を周波数変調（ＦＭ変調）することにより、切換出力信号Ｓ１３を搬送波に重畳して被変調信号Ｓ１４を生成する。
【００２４】
送信手段１５は、変調手段１４からの被変調信号Ｓ１４を増幅して送信アンテナ１９に出力する。
送信アンテナ１９は、送信手段１５からの被変調信号Ｓ１４を電気信号から電波ＥＢに変換し、この電波ＥＢを送受信装置５０内の不図示の受信アンテナに送信する。
【００２５】
操作スイッチ２０は、そのオン状態／オフ状態により、ワイヤレスマイクロホン１０の電源オン／電源オフを切り換えるスイッチであり、この操作スイッチ２０の状態は制御手段２１に供給される。
【００２６】
制御手段２１は、ワイヤレスマイクロホン１０の全体を制御するコントローラであり、例えばマイクロコンピュータ（マイコン）により構成する。
この制御手段２１は、変調手段１４、送信手段１５、駆動手段２２、検出手段２５等を制御する。
制御手段２１は、変調手段１４に対し、搬送波周波数を指定する周波数指定信号を出力し、変調手段１４は、指定された搬送波周波数を用いて変調を行う。
また、制御手段２１は、操作スイッチ２０がオフ状態からオン状態に設定された場合に、チャンネル設定信号を要求する要求信号と発光指令信号とを生成して駆動手段２２に出力する。
【００２７】
駆動手段２２は、制御手段１６からの発光指令信号および要求信号に基づき、発光手段２３を駆動して発光させる。
発光手段２３は赤外線ＵＢｏを発光し、要求信号を送受信装置５０内の受光手段に送信する。
【００２８】
受光手段２４は、送受信装置５０内の不図示の発光手段からの赤外線ＵＢｉを受光して受光信号を検出手段２５に供給する。
検出手段２５は、受光手段２４からの受光信号からチャンネル設定信号を検出して制御手段２１に供給する。
ワイヤレスマイクロホン１０と送受信装置５０との間には、複数の無線チャンネル（例えば、３０チャンネル）が予め設けてあり、複数の無線チャンネルのうちチャンネル設定信号が示す無線チャンネルに対応する周波数を指定する周波数指定信号を、制御手段２１は変調手段１４に出力する。
【００２９】
送受信装置５０は、送信アンテナ１９から送出された電波（電磁波）ＥＢを受信して切換出力信号Ｓ１３を検出し、検出した切換出力信号Ｓ１３をアンプ（アンプリファイヤ）６０に出力する。
アンプ６０は、送受信装置５０からの切換出力信号Ｓ１３を増幅してスピーカ７０に供給する。
【００３０】
スピーカ７０は、アンプ６０からの増幅された切換出力信号Ｓ１３を電気音響変換することにより、音の信号である音声信号Ｓ１または音声信号Ｓ３を再現し、拡声して出力する。
このスピーカ７０は、コードコネクタ３３が装着部１２に装着されている場合は、コード付きマイクロホン３０に入力された音声信号Ｓ３を拡声して出力し、装着部１２に装着されてない場合は、マイクロホンカプセル１１に入力された音声信号Ｓ１を拡声して出力する。
【００３１】
ワイヤレスマイクロホン１０と送受信装置５０は、通信システム８０を構成している。
ワイヤレスマイクロホン１０は、入力された音声信号Ｓ１，Ｓ３を送受信装置５０に送信する送信装置を構成している。また、送受信装置５０は、ワイヤレスマイクロホン１０から送信された音声信号Ｓ１，Ｓ３（または切換出力信号Ｓ１３）を受信する受信装置を構成している。
【００３２】
ワイヤレスマイクロホン１０において、装着部１２はワイヤレスマイクロホン１０の筐体の胴体部に配置され、マイクロホンカプセル１１は、前記筐体の胴体部の一方の先端部に配置され、発光手段２３および受光手段２４は前記筐体の胴体部の他方の先端部に配置されている。
マイクロホンカプセル１１をワイヤレスマイクロホン１０の筐体の胴体部の先端部に設けることで、使用者がワイヤレスマイクロホン１０を手に持った時に、マイクロホンカプセル１１を口元に近づけるのが容易となる。また、装着部１２をワイヤレスマイクロホン１０の胴体部に設けることで、使用者の口から出た唾や埃が装着部１２に付着することを防止することができる。
【００３３】
図２は、図１中の送受信装置５０の実施の形態を示す概略的なブロック構成図である。
この送受信装置５０は、第１の受信アンテナ５１と、第２の受信アンテナ５２と、受信手段５３と、復調手段５４と、制御手段５５と、駆動手段５６と、発光手段５７と、受光手段５８と、検出手段５９とを有する。
【００３４】
受光手段５８は、ワイヤレスマイクロホン１０内の発光手段からの赤外線ＵＢｏを受光して受光信号を検出手段５９に出力する。
検出手段５９は、受光手段５８からの受光信号に基づき、チャンネル設定信号を要求する要求信号を検出して制御手段５５に出力する。
【００３５】
制御手段５５は、送受信装置５０の全体を制御するコントローラであり、例えば、マイクロコンピュータ（マイコン）により構成する。
この制御手段５５は、受信手段５３、復調手段５４、駆動手段５６、検出手段５９等を制御する。
制御手段５５は、検出手段５９から要求信号が供給されると、駆動手段５６に発光制御信号およびチャンネル設定信号を出力する。
【００３６】
駆動手段５６は、制御手段５５からの発光制御信号およびチャンネル設定信号に基づいて発光手段５７を駆動し、発光手段５７を発光させる。
発光手段５７は、赤外線ＵＢｉを発光し、チャンネル設定信号をワイヤレスマイクロホン１０内の受光手段に送信する。
【００３７】
第１の受信アンテナ５１は、ワイヤレスマイクロホン１０のアンテナ１９からの電波ＥＢを受信して受信信号Ｓ５１を受信手段５３に供給する。
第２の受信アンテナ５２は、ワイヤレスマイクロホン１０からの電波ＥＢを受信して受信信号Ｓ５２を受信手段５３に供給する。
【００３８】
受信手段５３は、受信信号Ｓ５１，Ｓ５２に基づいて被変調信号Ｓ１４を検出し、検出した被変調信号Ｓ１４を復調手段５４に供給する。受信手段５３は、ダイバーシチ受信方式を用いており、伝送品質が向上するように、受信信号Ｓ５１，Ｓ５２を切り替えて使用する。
復調手段５４は、受信手段５３から出力された被変調信号Ｓ１４を復調して切換出力信号Ｓ１３を再現し、この切換出力信号Ｓ１３をアンプ６０に出力する。
【００３９】
通信システム８０では、発光手段および受光手段を用いてチャンネル設定信号を赤外線により送受する。
一方、チャンネル設定信号を電波により送受する場合は、電波は他の教室や部屋に透過することがあるため、ある教室からのチャンネル設定信号用の電波が他の教室に透過しないように、電波の送信出力を微調整することが必要であり、手間がかかる。
赤外線は、他の教室や部屋に透過することが殆んどないので、通信システム８０では発光手段の送信出力の設定および／または調整が簡単である、という利点がある。
【００４０】
なお、ワイヤレスマイクロホン１０の電源は、１次電池を使用してもよく、２次電池を使用してもよい。受信手段５３にスケルチ機能を持たせてもよい。
また、各教室に配置された送受信装置５０からの切換出力信号Ｓ１３を１個のアンプに集中し、各教室に配置されたスピーカに対して対応する送受信装置からの切換出力信号Ｓ１３を前記１個のアンプから供給して拡声する構成としてもよい。
また、上記実施の形態は本発明の例示であり、本発明は上記実施の形態に限定されない。
【００４１】
【発明の効果】
本発明に係るワイヤレスマイクロホンは、コードコネクタの装着の有無によりマイクロホンカプセルとコード付きマイクロホンとを使い分けることができ、ワイヤレスマイクロホンの使い勝手を向上させることができる。
【００４２】
上記した本発明に係る送信装置は、無線チャンネルの設定に応じて複数の送受信装置との通信を行うことができ、送受信装置に応じて送信装置を取り替える手間を不要とすることができ、送信装置の使い勝手を向上させることができ、ひいては送信装置とコード付きマイクロホンとを併せたワイヤレスマイクロホンの使い勝手を向上させることができる。
【００４３】
本発明に係る送受信装置は、無線チャンネルの設定に応じて複数のワイヤレスマイクロホンとの通信を行うことができ、送受信装置に応じてワイヤレスマイクロホンを取り替える手間を不要とすることができ、ワイヤレスマイクロホンの使い勝手を向上させることができる。
【図面の簡単な説明】
【図１】本発明に係るワイヤレスマイクロホンの実施の形態を示す概略的なブロック構成図である。
【図２】図１中の送受信装置５０の実施の形態を示す概略的なブロック構成図である。
【符号の説明】
１０…ワイヤレスマイクロホン、１１，３１…マイクロホンカプセル、１２…装着部、１３…切換手段、１４…変調手段、１５…送信手段、１９…送信アンテナ、２０…操作スイッチ、２１，５５…制御手段、２２，５６…駆動手段、２３，５７…発光手段、２４，５８…受光手段、２５，５９…検出手段、３０…コード付きマイクロホン、３２…コード、３３…コードコネクタ、５０…送受信装置、５１…第１の受信アンテナ、５２…第２の受信アンテナ、５３…受信手段、５４…復調手段、６０…アンプ（アンプリファイヤ）、７０…スピーカ、８０…通信システム、ＥＢ…電波、Ｓ１３…切換出力信号、Ｓ１，Ｓ３，Ｓ１１，Ｓ３３…音声信号、ＵＢｉ，ＵＢｏ…赤外線。
【図１】
0004121681.tif 000002
【図２】
0004121681.tif 000003